(57)【要約】【課題】トランプゲームはゲームの相手に手札を見られないようにするなどの注意が必要だが、年少者や高齢者には難しい。また、ゲーム前にシャッフルなどの準備や札配りなどが必要で、ゲームの役作りなども多種類で難しいものが多い。【解決手段】４種類のマーク（ハートなどのスート）と１３のランク（数や数字など）とジョーカーからなる少なくとも５３のトランプ様図柄を５個以上の多面体の各面に配して、サイコロ遊びでトランプゲームを年少者や高齢者なども楽しくプレーすることができるゲーム遊具セットを提供する。【選択図】図２
2019000327.tif 000002
【特許請求の範囲】
【請求項１】
４種類のマークと１３ランクの数とジョーカーからなる少なくとも５３のトランプ様図柄を５個以上の多面体の各面に、マークの数１個とランクの数字またはアルファベット文字（A,J.Q,K）を組み合わせて配したゲーム遊具セット。
【請求項２】
多面体が９個の正６面体（立方体）か、７個の正８面体、または５個の正１２面体である請求項１記載のゲーム用具セット。
【発明の詳細な説明】
【技術分野】
【０００１】
本発明は、年少者や高齢者なども容易に楽しむことが出来るトランプゲーム用具セットに関する。
【背景技術】
【０００２】
トランプゲームは古くから楽しまれているが、年少者や高齢者には難しいゲームも多く、カードを切るなどの準備もしなければならなかった。
【０００３】
正１２面体サイコロについては特許文献１が開示されているが、１〜１２の数字およ
びまたは模様数だけでトランプゲームの多くをプレーすることは出来なかった。
【先行技術文献】
【特許文献】
【０００４】
【特許文献１】登録実用３０１６８３９号公報
【発明の概要】
【発明が解決しようとする課題】
【０００５】
トランプゲームのポーカーゲームなどはゲームの相手に手札を見られないようにするなどの注意が必要だが、年少者や高齢者には難しい。また、ゲーム前にシャッフルなどの準備や札配りなどが必要で、ゲームの役作りなども多種類で難しいものが多い。
【課題を解決するための手段】
【０００６】
トランプの４種類のマークと１３ランクの数とジョーカーからなる少なくとも５３のトランプ様図柄を５個以上の多面体の各面に配した。
【０００７】
例えば、９個の正6面体（立方体）にジョーカー２枚を含む５４の図柄を各面に配したサイコロを用意し、その中の任意の個数を転がして表れた図柄の組合せでゲームを競うことができるのである。
【０００８】
また、７個の正８面体や５個の正１２面体の場合は５４の図柄を配して、残りの面は再度振るように表記すれば、同様にゲームを競うことができる。
【０００９】
マーク（ハートなどのスート）とランク（数字やアルファベット文字など）の配置面積が小さいため、マークは１個だけとしてランクと組合せ、６と９の数字を区別できなない形状の面の場合は、上下非対称のマークとした（例としてダイヤマークの代わりに星マークなど）。
【発明の効果】
【００１０】
本発明のゲーム用具を使用してポーカーなどのトランプゲームをプレーすれば、ルールに従って５個のサイコロを数回、ただ順番に転がすだけなので年少者や高齢者でも楽しめるのである。
【００１１】
ブラックジャックの場合は任意の２〜３個のサイコロを使用する、トランプゲーム以外でも、数字を使った計算双六やマーク（絵柄）を使ったスロットル遊びなど年少者や高齢者を含めて楽しく遊べるようになるのである。
【００１２】
高齢者や年少者がゲーム感覚で楽しみながらプレーすることで、脳の活性化や集中力、洞察力が向上し、手指を使ってプレーするためリハビリのトレーニング用具としても優れた効果を発揮する。
【図面の簡単な説明】
【００１３】
【図１】本発明の正６面体（立方体）の投影図
【図２】本発明の正１２面体の正面図
【発明を実施するための形態】
【００１４】
図１に本発明の実施の形態におけるゲーム遊具の一例の正６面体の投影図を示す。９個の立方体（１）の各６面にジョーカー２面を含む５４のトランプ様図柄（２）を配置し各１個６面合計の合計数や同じマーク（３）が偏らないように配慮している。
立方体（１）の大きさは特に規定しないが、５個を手に持って振るので一辺が２ｃｍから５ｃｍの大きさが好ましい。
トランプゲームの代表的なゲームであるポーカーの遊び方は、袋状容器に入れた９個のトランプ立方体から任意の５個を取り出して、１回目を振る。
役作りに必要なものは残し、残りを再度振ってできた役の大きさで勝負を競うのである。
ブラックジャックの場合は任意の２個を振り、必要に応じてもう１個を追加して振り勝負を競う。
トランプゲーム以外でも数に着目した双六やマークに着目したスロットル風ゲームなどの創作ゲームが楽しめる。
【００１５】
図２に本発明の実施の形態におけるゲーム遊具の一例の正１２面体の投影図を示す。
五個の正１２面体の総面数は６０面となり、トランプ様図柄５４種をすべて配しても６面が余る。これらは「AGEIN」などを表示して、再度、振りなおすこともできる。
正１２面体の１面の５角形の大きさは小さくなるので、一辺の長さは特に規定しないが、１５ｍｍ〜３０ｍｍが好ましい。
遊び方はトランプゲームのポーカーの場合は、５個の正１２面体すべてを規定に回数だけ順番に振って役の大きさにより勝負を競うのである。その他の遊び方は立方体と同様の創作ゲームを楽しめる。
【００１６】
多面体の素材は紙、プラスチック、木材などが使用可能であるが、レーザー加工印字の場合は木材または木粉加工材などが好ましい。
【００１７】
トランプ様図柄の4種類のマークと１３のランク（数）の表し方は特に指定しないが、絵柄はトランプのスートまたはその類似のイラストや果物など同類の形状が好ましく、ランク（数）の表し方は数字またはアルファベット文字が好ましい。
【００１８】
図柄の印刷は従来の押し印、スクリーン印刷、インクジェット印刷などが使用できる。レーザー加工の場合は色彩なしでも、後で彩色してもよい。
【実施例１】
【００１９】
図１は本発明の実施例の正６面体（立方体）の投影図である。
立方体（１）の大きさは一辺が３０ｍｍで、素材はヒノキである。
９個の立方体の総面数は５４面で、ジョーカー２枚を含めたトランプ様図柄の数と一致する。トランプのダイヤのマークは６と９の区別がつかないので、代わりに星形のマークとしている。
【００２０】
レーザー加工は切断加工の規定の焦点距離を50％ずらして行った。彩色はアクリル絵の具を使用した。
【実施例２】
【００２１】
正１２面体は一辺が５５ｍｍのヒノキの立方体から作成したものである。
この正１２面体の大きさは正五角形の一辺の長さが約２１ｍｍで、平行部の高さは約４７ｍｍである。
１面の大きさが小さいので４種のマークのなかに１３のランク（数字またはアルファベット文字）をはめ込んだ図柄とした。
５個の総面数は６０面であるから、２つのジョーカーとトランプ様図柄で５４面を埋めると６面が余る。そこで、各１面ずつ５面を「AGAIN」と表示し、これが出ると振り直しするようにした。残りの１面は「DEVIL」と表示し、これを出した人はゲームを降りなければならないようにした。
図柄の印字はレーザー加工で、アクリル絵の具で彩色した。
【産業上の利用可能性】
【００２２】
本発明のゲーム遊具セットは、老人ホームやデイケア―センターなどの脳トレー二ング用遊具、病院などのリハビリ用具、家庭での娯楽を兼ねた知育玩具、パーティなど一般の娯楽用ゲーム用具などとして利用できる。
【符号の説明】
【００２３】
１      立方体
２      表面に記載された図柄の例
３      正１２面体
【図１】
2019000327.tif 000003
【図２】
2019000327.tif 000004